(57)【要約】      （修正有）【課題】製造の容易化と、低廉化に寄与でき、挾持力の低圧化に寄与でき、耳たぶの疲労感もなく、優しい取付けが期待できるイヤリングを提供する。【解決手段】両端に第１遊離部１ａ、１ｂを備えたイヤリング本体１、第１遊離部に備えた挾持機能を有する止め具２、イヤリング本体に弾性を付与するスプリング３、宝飾物５、で構成されるイヤリングであり、イヤリング本体にスプリングを収容しない構造とした。【選択図】図１
0003225308.tif 000002
【実用新案登録請求の範囲】
【請求項１】
少なくとも、両端に第１遊離部を備えたイヤリング本体と、
この第１遊離部に備えた挾持機能を有する止め具と、
前記イヤリング本体に弾性を付与するスプリングと、
このイヤリング本体に備えた宝飾物と、
で構成されるイヤリング。
【請求項２】
前記スプリングの両端部は、前記イヤリング本体に備えた第２遊離部に、それぞれ、溶接、接着、又は冶具の何れかで連繋する構成とした請求項１に記載のイヤリング。
【請求項３】
前記冶具は、横杆、溶接・溶着、係止部、又は、差込み孔及び係止体の何れかを含む構成とした請求項２に記載のイヤリング。
【請求項４】
前記宝飾物は、前記第１遊離部と対峙する前記イヤリング本体の位置に設ける構成とした請求項１に記載のイヤリング。
【請求項５】
前記第２遊離部は、前記第１遊離部、及び前記宝飾物を設ける位置以外の前記イヤリング本体の位置に設ける構成とした請求項２に記載のイヤリング。
【考案の詳細な説明】
【技術分野】
【０００１】
本考案は、人の耳たぶに装飾品として取付けるイヤリングに関する。
【背景技術】
【０００２】
イヤリングの中で、耳たぶに取付ける種類では、通常、一日中、取付ける(耳たぶに挾持する)。この挾持による取付けは、耳たぶへの負担があって、人によっては違和感を覚えること、又は取付けを止めることが考えられる。このような違和感を無くし（負担の少ない装着が容易であり、長時間装着しても耳たぶへ疲労感を与えることがなく、優しい付け心地が可能な）、安心して取付けできる取付け方法としては、次のような手法が見当たる。
【０００３】
例えば、耳たぶに掛かる負担を少なく、適度の挾持力（挾着力）で支持し、かつ外れることが少ないこと、又は挾持力を調整可能としたこと、等を意図するイヤリングとして、特開２０１０−１７２４１７号公報(文献(１)とする)とか、また、装着が容易であり、長時間装着しても耳たぶへ疲労感を与えることがないイヤリングとして、実開平０７−０３９５２１号公報(文献(２)とする)とかが挙げられる
【特許文献１】特開２０１０−１７２４１７号公報
【特許文献２】実開平０７−０３９５２１号公報
【考案の概要】
【考案が解決しようとする課題】
【０００４】
前述の文献(１)と文献(２)は、イヤリング本体内にスプリングを内蔵する構造であり、製造において、手間を要すること、及び／又は、廉価なイヤリングの提供に問題がある。また、イヤリング本体、及びスプリングに関しても、例えば、径、素材等の選択に配慮する必要があり、その解決に、苦慮するものと考えられる。
【課題を解決するための手段】
【０００５】
上記に鑑み、本考案は、イヤリング本体の第２遊離部に、スプリングを配備し、望ましくは、イヤリング本体の環状軌跡にスプリングが位置する構造とする。これにより、例えば、製造において、イヤリング本体の径／スプリングの捲装径を、個々に設定できること、及びイヤリング本体内に、スプリングを収容する必要がないこと、又は製造の容易化と(経験を要せず)、廉価(低廉化)に寄与できる。そして、挾持力の低圧化に寄与でき(挾持力を小さくでき)、かつ耳たぶへの優しい付け心地での取付けが期待できる等の特徴がある。
【考案の効果】
【０００６】
請求項１の考案では、
少なくとも、両端に第１遊離部を備えたイヤリング本体と、
第１遊離部に備えた挾持機能を有する止め具と、
イヤリング本体に弾性を付与するスプリングと、
イヤリング本体に備えた宝飾物と、
で構成されるイヤリングであり、前述の特徴が期待できる。
【０００７】
請求項２の考案では、
スプリングの両端部は、イヤリング本体に備えた第２遊離部に、それぞれ、溶接、接着、又は冶具の何れかで連繋する構成としたイヤリングであり、請求項１の特徴達成と、有意義なスプリングの構造を提案できる。
【０００８】
請求項３の考案では、
冶具は、横杆、溶接・溶着、係止部、又は、差込み孔及び係止体の何れかを含む構成としたイヤリングであり、請求項１の特徴達成と、有意義な冶具の構造を提案できる。
【０００９】
請求項４の考案では、
宝飾物は、第１遊離部と対峙するイヤリング本体の位置に設ける構成としたイヤリングであり、請求項１の特徴達成と、有意義な第１遊離部の構造を提案できる。
【００１０】
請求項５の考案では、
第２遊離部は、第１遊離部、及び宝飾物を設ける位置以外のイヤリング本体の位置に設ける構成としたイヤリングであり、請求項１の特徴達成と、有意義な第２遊離部の構造を提案できる。
【図面の簡単な説明】
【００１１】
【図１】本考案の正面模式図
【図２】図１のイヤリング本体を拡開した模式図
【図３】図２のイヤリング本体をさらに拡開し、耳への取付けが可能な状態の模式図
【図４】図１のイヤリングを耳たぶに取付けた状態の拡大正面図
【図５】（イ）〜（ニ）は、イヤリング本体のいずれかの第２遊離部に、スプリングの両端部を連繋する手段の一例をそれぞれ、拡大して示した図であり、（イ）はイヤリング本体の第２遊離部に備えた横杆をスプリングに係止する方法、（ロ）はイヤリング本体の第２遊離部に、スプリングの端部を溶接・接着する方法、（ハ）はイヤリング本体の第２遊離部に備えた係止部を、スプリングに係止する（設ける）方法、（ニ）はイヤリング本体の第２遊離部に備えた孔に、スプリングを差込み支持する方法
【考案を実施するための形態】
【００１２】
以下、本考案の好ましい実施例を、図面を参照し、順次、説明する。
【００１３】
図１〜図４において、イヤリングＡの外郭体Ａ１は、両端に第１遊離部１Ａ、１Ｂを備えた略環状のイヤリング本体１と、このイヤリング本体１であって、第１遊離部１Ｂを一端に備えた一方リング体１−１(耳たぶへの取付け時に人Ｈの後側Ｈ２位置する)、及び第１遊離部１Ａを一端に備えた他方リング体１−２(耳たぶへの取付け時に人Ｈの前側Ｈ１に位置する)と、一方リング体１−１、及び他方リング体１−２の他端に、それぞれ設けた第２遊離部１Ｃ、１Ｄと、で構成される。尚、このイヤリングＡの素材は、金属、樹脂、又は複合材等の何れかとし、望ましくは、形状合金、係合樹脂等の特殊な素材でも可能である。
【００１４】
そして、このイヤリングＡの外郭体Ａ１には、止め具２と、コイルスプリング３(スプリングの一例であり、以下、スプリングとする)、及び宝飾物５がそれぞれ設けられている。尚、これらの止め具２、スプリング３、又は宝飾物５を、外郭体Ａ１に設ける個所、位置、及び個数等は、それぞれ一例であり、限定されるものではない。他の部材に関しても同様である。
【００１５】
以下、順に説明する。
【００１６】
先ず、止め具２は、第１遊離部１Ａ、１Ｂに設けられており、一方リング体１−１の自由端(第１遊離部１Ｂ)に設けた耳たぶ裏に接触するシリコン等の樹脂製、合成皮革等でなる環体２Ａと、他方リング体１−２の自由端(第１遊離部１Ａ)に設けた耳たぶ表に接触する球体２Ｂでなり、環体２Ａは、耳たぶ裏に対し面接触であるため、長時間、取付けても違和感を生じない。また、球体２Ｂは、耳たぶ表に対し点接触であるため、長時間、取付けても違和感を生じない。
【００１７】
次に、スプリング３は、第２遊離部１Ｃ、１Ｄの間に設けられており、一方の第２遊離部１Ｃにはスプリング３の一方の自由端３Ａが、他方の第２遊離部１Ｄにはスプリング３の他方の自由端３Ｂが、それぞれ設けられている。従って、図２、図３の如く、一方リング体１−１を放射方向Ｚに拡開すると、スプリング３が同じ方向に撓むこととなり、同図の如く、止め具２が開放される。即ち、耳たぶに取付けできる状態である。この取付け可能な状態において、一方リング体１−１より手を離すことで、図４の如く、スプリング３の反力で、一方リング体１−１が図示のＱ方向に復帰し、耳たぶに取付けられる。尚、図示しないが、取外しは、前述した取付け操作の逆であり、説明は割愛する。この構造であることで、前述した、製造において、イヤリング本体の径／スプリングの捲装径を、個々に設定できること、及びイヤリング本体内に、スプリングを収容する必要がないこと、又は製造の容易化と、廉価に寄与できる。そして、挾持力の低圧化に寄与でき、かつ耳たぶへの優しい取付けが期待できる。尚、この第２遊離部１Ｃ、１Ｄは、第１遊離部１Ａ、１Ｂ、及び宝飾物５、５(この例では２カ所でなる。一例であり、二つ以上も有り得る)を設ける位置以外のイヤリング本体１の位置(適宜位置)に設ける構成とするが、一例である。
【００１８】
このスプリング３の自由端３Ａ、３Ｂと、一方リング体１−１及び他方リング体１−２(イヤリング本体１)のそれぞれの第２遊離部１Ｃ、１Ｄを固定する方法として、図５(イ)〜(ニ)に示した各実施例が挙げられる。以下、順に説明する。（イ）は第２遊離部１Ｃ、１Ｄの自由端(イヤリング本体１)に備えた横杆１０を、スプリング３の両自由端３Ａ、３Ｂに差渡し係止する固定方法である。また、（ロ）は第２遊離部１Ｃ、１Ｄの自由端に、スプリング３の両自由端３Ａ、３Ｂを溶接・接着１１で係止する固定方法である。（ハ）は第２遊離部１Ｃ、１Ｄの自由端に設けたＵ形、丸形の係止部１２を、スプリング３の両自由端３Ａ、３Ｂに嵌合等の方法で係止する固定方法である。（ニ）は第２遊離部１Ｃ、１Ｄの自由端に備えた各孔１３に、スプリング３の係止体１４を備えた両自由端３Ａ、３Ｂを、それぞれ差込み係止する固定方法である。尚、係止体１４の構造は、差込み時に邪魔とならないことを考慮する(他の例も同じ)。以上で説明した、各方法は一例であり限定されない。
【００１９】
尚、この実施例では、他方リング体１−２には、イヤリングＡとしての最大の特徴を発揮できる位置、又は好みの位置に、宝飾物５が、一個、又は複数個取付けられる。この一例では、バランス、及び／又は、スプリング３等の状況を考えて、他方リング体１−２の正面（耳たぶへの取付け時に人Ｈの前側Ｈ１にくる位置）と、第１遊離部１Ａ、１Ｂに対峙する位置の２カ所としたが、限定されない。
【００２０】
イヤリングＡの使用状態（耳たぶへの取付け）を説明すると、例えば、図２、図３の如く、一方リング体１−１を放射方向Ｚに拡開すると、スプリング３が同じ方向に撓み、止め具２が開放される。この開放を利用し、耳たぶの表裏に止め具２を、軽く当接し、球体２Ｂは、前側Ｈ１(耳たぶ表側)で、他人に見えるように、環体２Ａは、後側Ｈ２(耳たぶ裏側)で、他人から見えないように取付け、その後、一方リング体１−１より手を離すことで、図４の如く、スプリング３の反力で、一方リング体１−１が図示のＱ方向に復帰し、イヤリングＡが耳たぶの表側・外側に取付けられる。従って、簡単に開いて、容易な装着ができ、一人で簡易に装着可能である。大変に重宝する。その際に、宝飾物５の一つは、他方リング体１−２の下側に、また、その他の一つは、取付け時において、他方リング体１−２の正面側に位置することとなる。図４の状態である。尚、他方の耳たぶに取付ける際も同様である。この取付け状態では、スプリンク３がコイル形態で、かつイヤリングＡは、細い線材を利用する構成であり、耳たぶが痛くなり難く、かつ優しい付け心地が期待できる。また、シリコン製の環体２Ａを採用すれば、付け心地のよさと、滑り止めに有効である。
【００２１】
尚、イヤリングＡに、スプリング３とか、宝飾体５等を備える構造は、前述の説明とか、図示の例に限定されず、各人の好み、目的等により、原則として自由である。また、一方リング体１−１と他方リング体１−２の径とか、環状方向の長さは、図示の例に限定されず、各人の好み・体型とか、目的等により、原則として自由である。
【００２２】
前述の説明は、本考案の好ましい、各実施例を順に説明する。しかし、この各図面と、各図面に基づく説明は、本考案の好ましい一例であって、この説明と各図面に限定されない。従って、考案の趣旨の範囲において構成の一部を変更する構造とか、同じ特徴と効果を達成できる構造、等は、本考案の範疇である。
【符号の説明】
【００２３】
Ａ  イヤリング
Ａ１  外郭体
Ｈ  人
Ｈ１  前側
Ｈ２  後側
１  イヤリング本体
１−１  一方リング体
１−２  他方リング体
１Ａ  第１遊離部
１Ｂ  第１遊離部
１Ｃ  第２遊離部
１Ｄ  第２遊離部
２  止め具
２Ａ  環体
２Ｂ  球体
３  スプリング
３Ａ  自由端
３Ｂ  自由端
５  宝飾物
１０  横杆
１１  溶接・接着
１２  係止部
１３  孔
１４  係止体
Ｈ  人
Ｈ１  前側
Ｈ２  後側
Ｑ  方向
Ｚ  放射方向
【図１】
0003225308.tif 000003
【図２】
0003225308.tif 000004
【図３】
0003225308.tif 000005
【図４】
0003225308.tif 000006
【図５】
0003225308.tif 000007